(57)【要約】皮膚または身体治療デバイスは、１つ以上の取外し可能かつ交換可能モジュールを含む。各モジュールは、皮膚または身体治療、下層組織治療、または両方を提供するように構成される。１つ以上のアプリケータは、皮膚または身体治療デバイスと結合される。各アプリケータは、１つ以上の取外し可能モジュールの使用を有効化し、皮膚または身体あるいは下層組織治療を生じさせる。選択された皮膚または身体治療、下層組織治療、または両方は、１つ以上の取外し可能かつ交換可能モジュールと、選択された治療のために必要とされる１つ以上のアプリケータとの選択および構成に応じて、実装および実行されることが可能である。
2010535595.tif 000002
【特許請求の範囲】
【請求項１】
皮膚または身体治療デバイスであって、
該皮膚または身体治療デバイスと結合される１つ以上の取外し可能かつ交換可能モジュールであって、各モジュールは、皮膚若しくは身体治療、下層組織治療、または両方を提供するように構成される、モジュールと、
該皮膚または身体治療デバイスと結合される１つ以上のアプリケータであって、各アプリケータは、該１つ以上の取外し可能モジュールの使用を可能にして、該皮膚若しくは身体治療、下層組織治療、または両方を達成する、アプリケータと
を備える、デバイス。
【請求項２】
前記１つ以上の取外し可能かつ交換可能モジュールは、レーザモジュール、発光ダイオードモジュール、超音波モジュール、音響衝撃モジュール、マッサージモジュール、強パルス光モジュール、微小皮膚研摩モジュール、電気刺激モジュール、無線周波数モジュール、またはそれらの任意の組み合わせを備える、請求項１に記載の皮膚または身体治療デバイス。
【請求項３】
前記皮膚または身体治療デバイスは、複数の前記１つ以上の取外し可能かつ交換可能モジュールの同時使用のために構成される、請求項１に記載の皮膚または身体治療デバイス。
【請求項４】
前記皮膚または身体治療デバイスは、複数の前記１つ以上のアプリケータによる、前記１つ以上の取外し可能かつ交換可能モジュールのうちの１つの同時使用のために構成される、請求項１に記載の皮膚または身体治療デバイス。
【請求項５】
前記皮膚または身体治療デバイスに接続される入力デバイスをさらに備え、施術者は、該入力デバイスを使用して治療特定パラメータを入力する、請求項１に記載の皮膚または身体治療デバイス。
【請求項６】
前記皮膚または身体治療デバイスに接続される１つ以上の出力デバイスをさらに備え、該１つ以上の出力デバイスは、１つ以上の治療の結果を表示する、請求項１に記載の皮膚または身体治療デバイス。
【請求項７】
前記１つ以上のアプリケータは、取外し可能かつ交換可能である、請求項１に記載の皮膚または身体治療デバイス。
【請求項８】
データ格納デバイスをさらに備える、請求項１に記載の皮膚または身体治療デバイス。
【請求項９】
治療モジュール貯蔵所をさらに備える、請求項１に記載の皮膚または身体治療デバイス。
【請求項１０】
前記１つ以上の取外し可能かつ交換可能モジュールを制御するためのプロセッサをさらに備える、請求項１に記載の皮膚または身体治療デバイス。
【請求項１１】
データ格納を管理および実装するためのプロセッサをさらに備える、請求項１に記載の皮膚または身体治療デバイス。
【請求項１２】
入力を受信し、診断を出力するために、前記デバイス上で動作する診断用ソフトウェアアプリケーションをさらに備える、請求項１に記載の皮膚または身体治療デバイス。
【請求項１３】
ユーザからの入力を受信し、診断および治療計画を出力するように構成される、診断用ソフトウェアアプリケーションをさらに備える、請求項１に記載の皮膚または身体治療デバイス。
【請求項１４】
多重モジュール皮膚または身体治療システムを使用する方法であって、
所望の皮膚若しくは身体治療、下層組織治療、または両方に対応する１つ以上のモジュールを選択することと、
使用のために、該１つ以上のモジュールを構成することと、
使用のために、該１つ以上の必要とされるモジュールに対応する１つ以上のアプリケータを構成することと、
該１つ以上のモジュールを起動および動作させて、皮膚若しくは身体治療、下層組織治療、または両方を達成することと
を備える、方法。
【請求項１５】
前記多重モジュール皮膚または身体治療デバイスに患者特定パラメータを提供することをさらに備える、請求項１４に記載の方法。
【請求項１６】
前記多重モジュール皮膚または身体治療デバイスは、前記患者特定パラメータに基づいて所望の治療方針を決定し、そして、該治療方針を通信することをさらに備える、請求項１５に記載の方法。
【請求項１７】
前記１つ以上のモジュールは、レーザモジュール、発光ダイオードモジュール、超音波モジュール、音響衝撃モジュール、マッサージモジュール、強パルス光モジュール、微小皮膚研摩モジュール、電気刺激モジュール、無線周波数モジュール、またはそれらの任意の組み合わせを備える、請求項１４に記載の方法。
【請求項１８】
前記皮膚若しくは身体治療、下層組織治療、または両方の結果を表示することをさらに備える、請求項１４に記載の方法。
【請求項１９】
動作の間、前記１つ以上のモジュールを制御するプロセッサをさらに備える、請求項１４に記載の方法。
【請求項２０】
前記多重モジュール皮膚または身体治療システムの動作および特定患者に関するデータを保存することをさらに備える、請求項１４に記載の方法。
【請求項２１】
患者症状情報を前記皮膚または身体治療システムに入力し、該システムは、診断情報を出力することをさらに備える、請求項１４に記載の方法。
【請求項２２】
皮膚または身体治療デバイスであって、
該皮膚または身体治療デバイスと結合される１つ以上の取外し可能かつ交換可能モジュールであって、各モジュールは、皮膚若しくは身体または下層組織治療を提供するように構成される、モジュールと、
該皮膚または身体治療デバイスと結合される１つ以上のアプリケータであって、各アプリケータは、該１つ以上の取外し可能モジュールの使用を可能にして、該皮膚若しくは身体または下層組織治療を達成する、アプリケータと
を備え、
該１つ以上の取外し可能かつ交換可能モジュールは、レーザモジュール、発光ダイオードモジュール、超音波モジュール、マッサージモジュール、強パルス光モジュール、微小皮膚研摩モジュール、電気刺激モジュール、無線周波数モジュール、またはそれらの任意の組み合わせを備える、デバイス。
【請求項２３】
前記１つ以上の取外し可能かつ交換可能モジュールおよび前記１つ以上のアプリケータは、実行されるべき所望の皮膚または身体治療に基づいて選択可能である、請求項２２に記載の皮膚または身体治療デバイス。
【発明の詳細な説明】
【技術分野】
【０００１】
（関連出願の相互参照）
本願は、同時係属の米国仮特許出願第６０／９６４，２４６号（２００７年８月１０日出願）の、両出願に共通のすべての主題に対して優先権および利益を主張する。この仮出願の開示は、その全体が本明細書に参考として援用される。
【０００２】
（発明の分野）
本発明は、物理的皮膚または身体状態を治療するためのシステムに関し、より具体的には、多重モジュール治療システムと、脂肪の低減、胴回り低減、老化防止効果を含む、種々の皮膚または下層組織治療使用のための対応する方法とに関する。
【背景技術】
【０００３】
現在、脂肪、皺、そばかす、しみ、にきび、変色、傷跡、色素沈着、にきび、酒さ、光線角化症、毛細血管拡張症、太陽／光線による損傷、無駄毛、静脈瘤、または他の皮膚状態等の問題に対処するために、非侵襲性または低侵襲性の皮膚または身体治療手技が行なわれている。これらの非侵襲性および／または低侵襲性手技は、ほとんどの場合、麻酔薬を必要とせずに行なわれ、患者は、手技後に「休養期間」をとる必要がない。手技は、治療の種類および治療される領域の大きさに応じて、数分乃至数時間に及ぶ。
【０００４】
最近の技術進歩に伴って、広範囲に及ぶ治療技術が非侵襲性手技として適用することが可能である。これらの技術は、レーザ光線、発光ダイオード（ＬＥＤ）、超音波振動、無線周波数（ＲＦ）エネルギー、電気刺激、音響衝撃、および／または強パルス光（ＩＰＬ）を使用してもよい。これらの技術の一部を使用するセルフアプリケータキットが市場において見受けられ得さえするが、これらのキットは、有資格技術者に、または医師の監督下において利用可能なデバイスに見られるものよりも、使用される動力源が弱いため、効果が弱い。さらに、これらの技術、特に、レーザ治療を使用する際には認定技術者が存在し、手技を管理することが必須である。これらの手技は、正しく実施される際には無害であるが、誤って適用される場合には永久的な皮膚の損傷を及ぼし得る。
【０００５】
皮膚または身体治療は、多くの場合、温泉、医院、または他の認定治療施設等の場所で実施される。現在、これらの施設は、各治療の種類に対して別個の機械を有しており、治療施設における治療機械の混乱をもたらしている。このように、１つの機械を使用する所与の時間において、１人の患者に１種類の治療しか使用できない。
【発明の概要】
【課題を解決するための手段】
【０００６】
ある皮膚または身体治療デバイスを選択し、中央位置から１つ以上のデバイスを管理する柔軟性をユーザまたは施術者に提供する、多重モジュール皮膚または身体治療デバイスの必要性が存在する。複数の治療の種類を提供するそのような単一の皮膚または身体治療デバイスは、複数の皮膚または身体治療デバイスを有する必要性を排除し、複数の治療を１人以上の患者に適用する効果的な態様をもたらす。さらに、そのようなデバイスは、１つ以上の種類の治療の組み合わせを可能にし、ある場合には、予想外に相乗効果をもたらし、全体的な治療効果を向上させる。本発明は、この必要性を解決するためのさらなる解決策を対象とすることに加えて、他の所望の特徴を有する。
【０００７】
一つの例示的な実施形態によると、皮膚または身体治療デバイスは、皮膚または身体治療デバイスに結合される１つ以上の取外し可能かつ交換可能モジュールを含む。各モジュールは、皮膚、身体、または下層組織治療を提供するように構成される。１つ以上のアプリケータは、皮膚または身体治療デバイスと結合される。各アプリケータは、１つ以上の取外し可能モジュールの使用を有効化し、皮膚、身体、または下層組織治療を生じさせる。
【０００８】
本発明の側面によると、１つ以上の取外し可能かつ交換可能モジュールは、レーザモジュール、発光ダイオードモジュール、超音波モジュール、マッサージモジュール、強パルス光モジュール、微小皮膚研摩モジュール、電気刺激モジュール、無線周波数モジュール、音響衝撃モジュール、またはそれらの任意の組み合わせであり得る。皮膚または身体治療デバイスは、複数の１つ以上の取外し可能かつ交換可能モジュールの同時使用のために構成可能である。皮膚または身体治療デバイスは、複数の１つ以上のアプリケータによる、１つ以上の取外し可能かつ交換可能モジュールのうちの１つの同時使用のために構成可能である。
【０００９】
本発明のさらなる側面によると、皮膚または身体治療デバイスは、皮膚または身体治療デバイスに接続される入力デバイスをさらに含みことが可能であって、施術者は、入力デバイスを使用して治療特定のパラメータを入力する。１つ以上の出力デバイスは、皮膚または身体治療デバイスに接続可能であって、１つ以上の出力デバイスは、１つ以上の治療の結果を表示する。
【００１０】
本発明のさらなる側面によると、１つ以上のアプリケータは、取外し可能かつ交換可能である。データ格納デバイスは、治療モジュール貯蔵所とともに提供可能である。同様に、プロセッサが、１つ以上の取外し可能かつ交換可能モジュールを制御するために提供可能である。加えて、または代替として、プロセッサは、データ格納を管理および実行可能である。
【００１１】
本発明の側面によると、方法は、多重モジュール皮膚または身体治療デバイスに患者特定パラメータを提供するステップをさらに含むことが可能である。多重モジュール皮膚または身体治療デバイスは、患者特定パラメータに基づいて、所望の治療方針を決定し、治療方針を通信可能である。
【００１２】
本発明のさらなる側面によると、皮膚または身体治療デバイスは、診断能力を含むことが可能である。診断用ソフトウェアアプリケーションは、患者症状情報を受信し、情報を処理し、診断を出力可能である。加えて、皮膚または身体治療デバイスは、診断に照らして、治療計画をさらに出力可能である。
【図面の簡単な説明】
【００１３】
本発明の上述の特長および利点、ならびに他の特長および側面は、以下の説明および添付の図面と関連させることによって、より理解されるであろう。
【図１】図１は、本発明の一実施形態による、皮膚または身体治療システムの概略図である。
【図２】図２は、本発明の一実施形態による、治療モジュール貯蔵所の概略図である。
【図３】図３は、本発明の一実施形態による、皮膚または身体治療デバイスの概略図である。
【図４Ａ】図４Ａは、本発明の一実施形態による、複数の治療モジュールおよび複数の患者を有する、皮膚または身体治療デバイスの概略図である。
【図４Ｂ】図４Ｂは、本発明の一実施形態による、１つの治療モジュールおよび複数の患者を有する、皮膚または身体治療デバイスの概略図である。
【図４Ｃ】図４Ｃは、本発明の一実施形態による、複数の治療モジュールおよび１人の患者を有する、皮膚または身体治療デバイスの概略図である。
【図４Ｄ】図４Ｄは、本発明の一実施形態による、複数の出力デバイスを有する、皮膚または身体治療デバイスの概略図である。
【図４Ｅ】図４Ｅは、本発明の一実施形態による、１つの出力デバイスを有する、皮膚または身体治療デバイスの概略図である。
【図５】図５は、本発明の一実施形態による、皮膚または身体治療デバイスを使用する方法を例示する、フローチャートである。
【発明を実施するための形態】
【００１４】
本発明は、概して、多重モジュールの皮膚または身体治療システムに関する。本発明の皮膚または身体治療システムは、１つ以上の所定の波長、間隔、期間、および／またはパターンにおいて、例えば、脂肪および胴回りの低減、または老化防止手技のために、標的領域に電磁放射、電気刺激、光刺激、超音波放射、音響衝撃、融蝕技術、および／またはマッサージを適用してもよい。他の組織治療は、種々の電磁放射、電気刺激、超音波放射、融蝕技術、および／またはマッサージ適用によって可能である。発明システムのモジュール的側面によって、施術者は、取外し可能かつ交換可能なモジュール素子をシステムに追加またはそこから取外しすることによって提供される治療を選択し、システム全体に利用可能な治療を迅速かつ容易に追加または取外しが可能となる。
【００１５】
本明細書に記載される多重モジュール皮膚または身体治療システムは、レーザモジュール、発光ダイオード（ＬＥＤ）生物刺激モジュール、超音波モジュール、音響衝撃モジュール、マッサージモジュール、無線周波数（ＲＦ）モジュール、電気刺激モジュール、微小皮膚研摩モジュール、強パルス光（ＩＰＬ）モジュール等のモジュールのうちの１つ以上を含んでもよい。当業者は、上述のモジュールに限定されず、付加的モジュールまたは他のモジュールの組み合わせが、本明細書に記載される多重モジュール皮膚または身体治療システムと併用されてもよいことを理解するであろう。
【００１６】
次に、図面（同一部分は、全体を通して、同一参照番号によって指定される）を詳細に参照すると、図１は、本発明による、状態、好ましくは、組織の治療のためのシステムを例示する。本発明は、図面に示される例示的な実施形態を参照して説明されるが、本発明は、多くの代替形態において具現化可能であることを理解されたい。加えて、任意の好適な大きさ、形状、または種類の要素または材料が利用可能であって、上述の種々の状態を治療するために採用可能である。用語「皮膚」および「組織」は、本願を通して、代替として、類似の意味を担持するものとして使用される。当業者は、本明細書に記載される任意の例示的な実施形態において、「皮膚」または「組織」のいずれかが使用され得、他方に優る一方の用語の利用は、限定的ものではないことを認識するであろう。
【００１７】
本発明の一側面によると、例示的な皮膚または身体治療システム１００が提供される。皮膚または身体治療システム１００は、メインコンソール１０２と、カスタマイズ可能な多重治療システム１２０と、１つ以上のアプリケータデバイス１３０とを含む。カスタマイズ可能な多重治療システム１２０は、１つ以上のアダプタ／コネクタ１０６を介して、メインコンソール１０２に接続可能なモジュール１２５ａ−１２５ｎ等の複数のモジュールを有する。各モジュールは、超音波、音響衝撃、電気刺激、無線周波数（ＲＦ）、強パルス光源（ＩＰＬ）、発光ダイオード（ＬＥＤ）生物刺激、レーザ、マッサージ療法、および／または微小皮膚研摩を含むが、それらに限定されない特定の皮膚または身体治療技術、あるいは皮膚または身体治療技術の組み合わせを提供する。一実施形態では、多重治療システム１２０内の各モジュールは、メインコンソール１０２に固定的に接続される。別の実施形態では、多重治療システム１２０内の各モジュール１２５は、メインコンソール１０２から分離可能な取外し可能モジュールである。したがって、特定患者の治療のために必要とされるモジュールのみがメインコンソール１０２に接続される必要がある。加えて、アップグレードされたモジュールが利用可能である場合、または既存モジュールが故障している場合には、医師は、皮膚または身体治療システム１００全体またはカスタマイズ可能な多重治療システム１２０全体を交換する必要なく、新しいまたはアップグレードされたモジュールを購入することが可能である。さらに、医師または認定専門家は、その施術と併用されるために好適なモジュールのみを購入することが可能である。
【００１８】
カスタマイズ可能な多重治療システム１２０内の各モジュールは、１つ以上のアプリケータデバイス１３０と併用される１つ以上の対応するアプリケータ素子１３５を有することが可能である。一実施形態では、異なるモジュールに対応するアプリケータ素子１３５ａ−１３５ｍは、単一のアプリケータデバイス１３０内で使用可能である。別の実施形態では、異なるモジュールのためのアプリケータ素子１３５ａ−１３５ｍは、異なるアプリケータデバイス１３０内で使用可能である。アプリケータ素子１３５ａ−１３５ｍは、超音波サウンドヘッドセット、ＬＥＤ先端を有する棒状具、レーザ放射先端を有する棒状具、マッサージデバイス、ＲＦ放射先端を有する棒状具、一対の電極、ブラシおよび結晶を適用するための手段を有する棒状具、または光放射先端を有する棒状具であってもよい。異なる種類のアプリケータ素子は、図２−３に例示され、以下に説明される。
【００１９】
メインコンソール１０２によって、ユーザは、ディスプレイ１０４上において、種々の皮膚または身体治療モジュール使用のメニューおよび結果を閲覧可能となる。メインコンソール１０２は、ユーザがメインコンソール１０２にコマンドおよびデータを入力可能となる入力デバイス１０８を有する。入力は、実行される治療の種類のために必要とされるパラメータを含んでもよい。患者の情報および／または医師の経験を使用して、患者に対する治療をカスタマイズすることが可能である。治療は、患者の状態に依存し、したがって、異なる治療が、異なる状態に必要とされてもよい。例えば、ある場合には、変調エネルギー源がより好適である一方で、他の場合には、パルスエネルギー源がより好適であってもよい。患者の情報および治療のカスタマイズを含むデータは、格納素子１１２内に保存されてもよい。代替として、データは、ネットワークインターフェース１１０を介してアクセス可能なデータベース上に保存されてもよい。ネットワークインターフェース１１０は、標準的電話回線、ＬＡＮまたはＷＡＮ回線（例えば、８０２．１１、Ｔ１、Ｔ３、５６ｋｂ、Ｘ．２５）、広帯域接続（例えば、総合デジタル通信網（ＩＳＤＮ）、フレームリレー、非同期転送モード（ＡＴＭ））、無線接続等、あるいは上述の任意のある組み合わせまたは全部を含むが、それらに限定されない種々の接続の種類を通して、ローカルエリアネットワーク（ＬＡＮ）、広域ネットワーク（ＷＡＮ）、またはインターネットとインターフェースで接続可能である。ネットワークインターフェース１１０は、内蔵ネットワークアダプタ、ネットワークインターフェースカード（ＮＩＣ）、パーソナルコンピュータメモリカード国際協会（ＰＣＭＣＩＡ）ネットワークカード、カードバスネットワークアダプタ、無線ネットワークアダプタ、ユニバーサルシリアルバス（ＵＳＢ）ネットワークアダプタ、モデム、またはメインコンソール１０２を通信および本明細書に記載される動作を行なうことが可能な任意の種類のネットワークにインターフェースで接続するために好適な任意の他のデバイスを含んでもよい。
【００２０】
加えて、皮膚または身体治療システム１００は、診断能力をさらに含むことが可能である。例えば、皮膚または身体治療システム１００は、ユーザから情報を要求し、情報を処理し、次いで、診断および推奨治療計画を返す診断アプリケーションを組み込むことが可能である。
【００２１】
図２は、図１に例示される皮膚または身体治療システムと併用するために好適な、例示的な治療モジュール貯蔵所２００の概略図である。治療モジュールは、カスタマイズ可能な多重治療システム１２０内で使用される治療モジュール貯蔵所２００から選択されてもよい。治療モジュール貯蔵所２００は、皮膚または身体治療システム１００とともに提供され、現時点で、カスタマイズ可能な多重治療システム１２０内で使用されないモジュールを保存してもよい。治療モジュール貯蔵所２００は、代替として、または加えて、種々のモジュールのアクティブ使用を支援すること可能である。さらに、治療モジュール貯蔵所２００は、メインコンソール１０２から分離されるか、またはそれと一体化することが可能である。
【００２２】
治療モジュール貯蔵所２００は、１つ以上のレーザモジュール２３０を含んでもよい。レーザモジュール２３０は、指令に応じて、特定の波長における放射を放出することが可能である。レーザモジュール２３０は、誘導放射において、コヒーレントな単色光を放出する。レーザモジュール２３０は、例えば、約６５０ナノメートル乃至約１２９５ナノメートルの赤外線および可視レーザ光の同心結合において波長を有する放射を投影可能である。例示的実装によると、デバイスは、約６５０ナノメートル乃至９１５ナノメートル、または６５０ｎｍ、９１５ｎｍ、乃至１２１０ｎｍ、あるいは６５０ｎｍ乃至１２１０ｎｍで、放射を投影可能である。一実施形態では、レーザモジュール２３０は、電力のみが、曝露時間に伴って変動するように、固定電力レーザであってもよい。すなわち、曝露時間の増加に伴って、電力が増大する。代替として、レーザモジュール２３０は、可変電力出力、すなわち、本発明の教示に従って採用可能な異なる電力レベルを有してもよい。
【００２３】
レーザモジュール２３０は、１つ以上の発光素子２３２を含んでもよい。好ましい実施形態では、１つ以上の発光素子２３２は、発光素子２３２が故障した場合、レーザモジュール２３０全体を交換する必要がないような、交換可能素子である。
【００２４】
治療モジュール貯蔵所２００は、１つ以上のＬＥＤ生物刺激モジュール２２８を含む。生物刺激は、再生プロセスを再開するための細胞機能の再活性化である。レーザまたはＬＥＤによって生成される光子エネルギー（光）は、身体の皮膚および細胞によって吸収され、光子エネルギーは、細胞レベルにおいて、段階的事象を開始させる化学エネルギーに変換される。病的細胞は、その機能を最適化し、その細胞通信能を改善する。生物刺激は、アデノシン三リン酸（ＡＴＰ）産生量を増加させ、細胞活性を増大させる。各ＬＥＤ生物刺激モジュール２２８は、１つ以上のＬＥＤ２２６を含む。好ましい実施形態では、ＬＥＤ２２６は、ＬＥＤ２２６のいずれかが故障した場合に、故障ＬＥＤのみを交換する必要があるような、交換可能素子である。ＬＥＤは、異なるカラーであってもよく、異なるカラーは、異なる種類の治療のために使用されてもよい。生物刺激は、交換可能携帯型ＬＥＤパッドを使用して、患者に適用されてもよい。各ＬＥＤカラーに対し、異なる交換可能パッドが存在し得る。代替として、交換可能パッドは、異なるＬＥＤカラーソケットを受容するように構成されてもよい。このように、パッドおよびＬＥＤ生物刺激モジュールの寿命は携帯型パッドを交換する代わりに、消耗したＬＥＤカラーソケットを交換することによって、さらに延長されてもよい。
【００２５】
治療貯蔵所２００は、１つ以上の超音波モジュール２２４を含んでもよい。各超音波モジュール２２４は、１つ以上の棒状具２２２を含む。好ましい実施形態では、各棒状具２２２は、超音波モジュール２２４全体を交換することなく、交換可能である。超音波的音波は、２０，０００Ｈｚを超える周波数であって、ヒトの耳には不可聴である。超音波治療では、１００％未満のデューティサイクルは、通常、パルス超音波と呼ばれる一方で、１００％デューティサイクルは、連続的超音波と称される。超音波的音波は、身体細胞を刺激し、細胞質の移動、糸粒体の回転、および細胞核の振動を生じさせる。その結果、細胞膜を刺激および拡張させる。超音波治療は、局所的血液およびリンパの循環を改善する。さらに、超音波的治療は、身体細胞の代謝および再生を改善する助けとなる。
【００２６】
超音波治療は、超音波的周波数を使用して、皮膚を通して高分子量の物質を運搬する助けをする音波泳動を開始する。ヒトの耳の可聴範囲を僅かに超える低周波数の超音波は、皮膚細胞間の液体領域内の溶解ガスを発散および移動させ、遊離基活性によって生じる毒素を排除する。音波泳動作用は、皮膚内に経路を生成し、特定分子を流入させる。音波泳動は、低周波数超音波（２０キロヘルツを超える速度で振動する音波）を使用して行なわれる。
【００２７】
加えて、５−１５Ｍｚの周波数における集中超音波は、除去性および非除去性レーザや光源によって誘発される変化に類似する加熱ならびに凝固を含むが、それらに限定されない、組織内深部に及ぼす熱および／または機械的効果をもたらす。
【００２８】
治療貯蔵所２００は、１つ以上のマッサージモジュール２２０をさらに含んでもよい。マッサージモジュール２００は、１つ以上のマッサージローラまたはボール２１８を含んでもよい。好ましい実施形態では、各マッサージローラまたはボール２１８は、マッサージモジュール２１８全体を交換せずに、交換することが可能である。皮膚または身体マッサージのプロセスは、摩擦および熱を発生させ、疼痛に起因する治療に限定してもよい。また、プロセスは、貯留した流体を動員させることを目的とする。ローラを形成する金属材料によって生じる主観的な冷感は、治療の間、患者によって知覚される疼痛が軽減するため、より積極的マッサージ治療の適用を可能にし得る。加えて、皮膚または身体に接触する際のマッサージローラまたはボール２１８の冷却表面は、皮膚／ローラ接触面において温度差を生じさせることによって、リンパの循環を容易にする。これは、ポンプ作用を促進し、貯留した流体を皮膚から除去し、それによって、瘤および脂肪の出現を低減させる。
【００２９】
露出皮膚表面のマッサージは、機械的マッサージ機構を使用して生じさせることが可能である。露出皮膚のマッサージは、患者の心臓から遠位の地点から患者の心臓に近位の地点までマッサージし、流体が心臓に向かって流動することを助長することによって実行可能である。さらに、露出皮膚のマッサージは、所定の運動パターンにおけるマッサージを含むことが可能である。
【００３０】
また、治療貯蔵所２００は、１つ以上の無線周波数（ＲＦ）モジュール２１４を含んでもよい。ＲＦモジュール２１４は、１つ以上のＲＦ放射プローブ先端２１６を含んでもよい。好ましい実施形態では、各ＲＦ放射プローブ先端２１６または一対のプローブ先端２１６は、ＲＦモジュール２１４全体を交換せずに、交換することが可能である。プローブ先端２１６は、異なる端部形状を有してもよく、異なる寸法であってもよい。適切なプローブ先端２１６は、手技の必要性に従って選択されてもよい。例えば、顔面領域は、各適用時において、精度を向上させ、不快感を低減するために、より小さい接触面積を有するＲＦ放射プローブ先端２１６を必要としてもよいのに対して、より厚い皮膚を有するより広い領域は、より大きな接触面積を有するＲＦ放射プローブ先端２１６を必要としてもよい。
【００３１】
ＲＦモジュール２１４は、真空を使用して、皮膚を折り重ねるか、または単に皮膚を引き上げて、無線周波数路と直接整列する真皮を密着接触または配置することを確実にしてもよい。この真空による配置と、局所的な導電性結合媒体の使用とを組み合わせて、真皮深部に熱を集中させ、コラーゲン収縮および再生をもたらしてもよい。ＲＦ発生器からのエネルギーは、冷却スプレーと、コンピュータチップと、圧力、電流、および皮膚温度を測定するための高性能センサとを備え得る、ＲＦ放射プローブ先端２１６に送達される。ＲＦ放射プローブ先端２１６から多重モジュール皮膚または身体治療デバイスへのフィードバックは、組織に印加されるエネルギー量を調節してもよい。
【００３２】
ユニットが始動されると、ＲＦ放射プローブ先端２１６が冷却され、しばらく後に、皮膚の深層への電流による容量結合が続く。冷却は、さらに１秒または２秒間継続する。患者は、冷感、次いで、熱感、その後、再び熱感を感じる。容量結合と積極的冷却とを組み合わせることによって、真皮および皮下層深部へのエネルギーの送達の間、表皮を保護する。コラーゲンの加熱は、即時のコラーゲン収縮によって微細創傷を生成し、その後のこのコラーゲン深部の修復および再建は、皮膚または身体の経時的緊縮をもたらす。
【００３３】
治療貯蔵所２００は、１つ以上の電気刺激モジュール２１０を含んでもよい。電気刺激モジュール２１０は、１つ以上の電極２１２を含んでもよい。好ましい実施形態では、各個々の電極２１２は、電気刺激モジュール２１０を交換せずに、交換することが可能である。また、電気刺激モジュール２１０を交換またはアップグレードする必要がある場合に、電極２１２が再使用され得るように、電極２１２が２つ以上の電気刺激モジュール２１０と併用されてもよいことが好ましい。
【００３４】
電気刺激は、皮膚または身体にエネルギーを伝達するための電流の使用として定義される。伝達される電気の種類は、電源によって制御される。容量的に結合された電気刺激は、外側皮膚表面と湿潤（電解）接触する、適用される表面電極２１２を介しての電流の伝達を有する。容量的に結合された電気刺激が使用される場合、２つの電極２１２は、電気回路を成すことが必要とされてもよい。電極２１２は、皮膚上の湿潤導電性媒体上に配置されてもよい。
【００３５】
電気刺激は、２つの方法のうちの１つにおいて適用されてもよい。第１の方法の場合、一方の電極２１２（正または負の極性）は、皮膚上に配置される生理食塩水に浸したガーゼ等の滅菌導電性材料に適用される。他方の電極２１２の導電性表面は、正常な乾燥皮膚上に近接して適用される。第２の方法は、同極性を有する２つの電極２１２の導電性表面を、治療されるべき領域、すなわち、治療領域、例えば、皺を跨ぐ領域の対向する境界上の正常な乾燥皮膚上に配置するステップを有する。異なる極性を有する第３の電極２１２は、正常な乾燥皮膚上に近接して配置される。両方法において、パルス周波数は１００パルス／秒に設定されてもよく、電圧は、適度に強力であるが、快適なチクチク感をもたらす電流を送達するように設定されてもよい。必要とされる電圧は、典型的には、５０乃至１５０ボルトである。治療領域上にまたはそこを跨いで配置される１つ以上の電極２１２の極性は、治療要求に依存する。
【００３６】
また、治療モジュール貯蔵所２００は、１つ以上の微小皮膚研摩モジュール２０６を含んでもよい。微小皮膚研摩モジュール２０６は、使い捨ての１つ以上の結晶片２０８を含んでもよい。結晶片２０８は、組織上に噴霧される結晶を払い落とすためのブラシ２３４と結合されてもよい。代替として、結晶片２０８は、組織内に噴霧される結晶を吸引する真空装置２３６と結合されてもよい。このようにして、医師は、微小皮膚研摩モジュール２０６と併用される各自の結晶片２０８を患者に提供するように決定してもよい。代替として、医師は、各治療に対して、新しい結晶片２０８を使用するように決定してもよい。微小皮膚研摩では、壊死した皮膚の最外表面は、光除去によって部分的または完全に除去される。異なる方法は、酸化亜鉛または酸化アルミニウム結晶、微細有機粒子、あるいは粗面の噴出からの機械的研摩を含む。粒子および除去された物質は、融蝕粒子が噴出する棒状具／ハンドピース２０８を介して払い出される。微小皮膚研摩は、太陽によって損傷した皮膚を除去するため、ならびに皮膚上の傷跡および暗色反転を除去または軽減するために使用されてもよい。
【００３７】
治療モジュール貯蔵所２００は、１つ以上の強パルス光（ＩＰＬ）モジュール２０４をさらに含んでもよい。各強パルス光（ＩＰＬ）モジュール２０４は、１つ以上の発光素子２０２を含む。１つ以上の発光素子２０２は、発光素子２０２のうちの１つが故障した場合に、ＩＰＬモジュール２０４全体を交換する必要がないような、交換可能素子であってもよい。ＩＰＬモジュール２０４は、「遮断」フィルタを使用して、所望の波長を選択的に送達してもよい。これらの波長は、治療される特定の毛髪、血管、あるいは皮膚または身体成分に到達するようにカスタマイズ可能であって、各パルスよって修正可能である。ＩＰＬは、緑色、黄色、赤色、および赤外線の光を含む、５００乃至１２００ナノメートル（ｎｍ）のあらゆる波長の光から開始する。種々の低域遮断フィルタ（５１５−７５５の範囲）は、遮断フィルタの波長よりも短い光をブロックする。治療の間、ＩＰＬは、しみのメラニン、肝斑、および毛包、ならびに血管中のヘモグロビンを標的としてもよい。
【００３８】
治療モジュール貯蔵所２００は、音響衝撃療法を投与するための電極／アプリケータ２４２と結合される、１つ以上の音響衝撃モジュール２４０をさらに含んでもよい。音響衝撃波は、人体内の結石の破壊を含む、軟組織、神経、および骨に関するもの等、数多くの状態を治療するためのいくつかの異なる用途を有する。概して、音響衝撃は、流体内の２つの電極間で発生させられる電気火花放電の実行を介して作用する。火花放電は、流体内に衝撃波を形成させる。反射器は、衝撃波を治療領域に向けて集中させる。膜を使用することによって、物理的接触を通して、流体を通して進行する波を人体と結合することが可能である。
【００３９】
組織治療システムおよび対応する使用方法は、望ましくない組織、浮腫、過活動汗腺、嚢胞、脂肪腫、乾癬性組織、にきび、過剰リンパ液および組織、静脈瘤、末梢血管拡張、疼痛、炎症、炎症生成物、ならびに体内毒素等、選択された状態を治療する際に有効であり得る。
【００４０】
次に、図３を参照して、本発明の一実施形態による、皮膚または身体治療デバイスについて説明する。皮膚または身体治療デバイス３０１は、皮膚または身体治療技術サーバ３００と、入力デバイス３２２と、指向デバイス３２０と、１つ以上のアプリケータ３０４−３１８とを有してもよい。皮膚または身体治療技術サーバ３００は、１つ以上のモジュールおよびアプリケータとの接続を管理し、潜在的に、種々の皮膚または身体治療の適用を調整する、またはシステムの他の部分からの通信を伝達可能である、コンピュータまたはＣＰＵ、あるいは他のハブまたは制御センター、もしくは中央組織化デバイスであり得る。故に、アプリケータ３０４−３１８は、皮膚または身体治療技術センター３００によって、同時に制御されてもよい。アプリケータは、超音波サウンドヘッドセット、ＬＥＤ先端を有する棒状具、レーザ放射先端を有する棒状具、マッサージデバイス、ＲＦ放射先端を有する棒状具、一対の電極、ブラシおよび結晶を適用する手段を有する棒状具、または光放射先端を有する棒状具のうちの１つであってもよい。治療が、体重、肌の色、治療持続時間、治療強度、または肌質等のパラメータを必要とする場合、パラメータは、入力デバイス３２２を使用して、皮膚または身体治療技術サーバに入力されてもよい。マウスまたはポインタ等の指向デバイス３２０を使用して、パラメータを入力してもよい。代替として、皮膚または身体治療技術サーバ３００は、必要なパラメータおよび／または情報を入力／選択するためのタッチスクリーンを有してもよい。スクリーン等の出力デバイス３０２を使用して、治療の結果を確認してもよい。また、出力デバイス３０２を使用して、治療パラメータを微調節してもよい。皮膚または身体治療デバイス３０１によって、認定施術者は、複数の患者を同時に治療可能となる。代替として、皮膚または身体治療デバイス３０１を使用して、異なる治療を単一の患者に適用してもよい。
【００４１】
加えて、治療技術サーバ３００は、本発明の一つの例示的な実施形態による、診断能力をさらに含むことが可能である。具体的には、診断用ソフトウェアアプリケーションは、治療技術サーバ３００上で動作可能である。入力デバイス３２２は、患者の症状に関する情報を入力するようにユーザにプロンプトを提供可能である。次いで、診断用ソフトウェアは、情報を処理し、診断および推奨治療計画を返すことが可能である。例示的なソフトウェアアプリケーションは、治療条件および治療パラメータを捕捉するための治療入力ルーチンを含む。治療入力ルーチンからの入力は、初期設定機能に送信され、いくつかの治療モジュールオプションを決定する。治療モジュールオプションは、入力デバイス上に表示されるであろう。オペレータは、適切なモジュールを選択し、患者において試験を行い、入力デバイスに応答を入力するであろう。応答データは、最終治療モジュール設定を決定するための試験症例入力機能によって使用されるであろう。最終設定ルーチンは、最終治療モジュール推奨案を表示するであろう。
【００４２】
図４Ａは、４例の異なる患者４４６−４２２を治療するために使用される、皮膚または身体治療デバイス３０１を例示する。本実施例に例示されるように、４例の治療モジュール４００−４０６は、皮膚または身体治療技術サーバ３００に接続される。治療モジュール４００−４０６は、異なる種類の治療のためのモジュールであってもよく、またはすべて同一の種類の治療のためのモジュールであってもよい。各患者４１６−４２２は、異なるアプリケータまたは棒状具４０８−４１４を使用して治療される。患者は、皮膚または身体治療技術サーバ３００と互換性のある独自の個人用棒状具を持参してもよい。代替として、患者は、治療施設において患者が利用可能な棒状具を使用してもよい。各患者は、モジュール４００−４０６によって提供される１つ以上の治療オプションを使用してもよい。例えば、患者（１）４１６は、棒状具４０８を使用して、微小皮膚研摩治療を受けてもよい一方で、患者（２）４１０は、棒状具４１０を使用して、ＬＥＤ生物刺激治療を受けてもよい。当業者は、その組み合わせが、本明細書に記載されるものに限定されず、必要に応じて、他の治療の組み合わせが使用されてもよいことを理解するであろう。
【００４３】
図４Ｂは、皮膚または身体治療デバイス３０１が、４例の異なる患者４１６、４１８、４２０、および４２２に対して、単一の治療モジュール４００とともに使用される、別の実施例を例示する。モジュール４００によって提供される同一治療オプションを複数の患者４１６−４２２に適用可能である。本実施例では、棒状具４０８、４１０、４１２、および４１４は、同一治療、具体的には、モジュール４００によって提供される治療オプションを提供する。しかしながら、棒状具４０８−４１４の仕様は、各患者４１６−４２２に特定のパラメータに従って異なってもよい。例えば、モジュール４００は、ＬＥＤ生物刺激治療オプションを提供してもよい。しかしながら、棒状具４０８−４１４は、異なるカラーＬＥＤを有してもよく、または各患者４１６−４２２の仕様に従って、異なる強度で光を放射してもよい。各患者４１６−４２２に対する治療時間は、異なってもよい。
【００４４】
図４Ｃは、単一の患者４１６が、２つの棒状具４０８−４１０を使用して、２つのモジュール４００−４０２によって提供される２種類の治療を受ける一つの例示的な実施形態を例示する。当業者は、治療数が２つに限定されず、２つの治療の使用は例示であって、限定として解釈されるべきではないことを理解するであろう。モジュール４００およびモジュール４０２は、異なる治療オプションを提供してもよい。代替として、モジュール４００およびモジュール４０２は、棒状具４０８および棒状具４１０を使用して、身体の異なる部分に適用される同一治療を提供してもよい。本実施形態では、患者は、複数の治療を同時に受け、故に、患者は、時間を節約することになる。複数の治療は、認定専門家によって評価され、患者に及ぼし得る疼痛および不快感を判断されなければなければならない。また、認定専門家または施術者は、可能性のある副作用に対して、任意の２つ以上の治療が組み合わせられるべきでないか否かを評価するべきである。
【００４５】
治療の結果は、スクリーンまたは結果を紙に印刷するためのプリンタ等、出力デバイス３０２上で確認されてもよい。図４Ｄに例示されるように、それぞれ、各患者４１６−４１８のために提供される、複数のディスプレイ４３０−４１０が存在してもよい。代替として、図４Ｆに例示されるように、結果は、それぞれ、各患者４１６−４１８に対して異なるウィンドウ４３６−４３８を提供する、単一の出力デバイス４３４上で確認されてもよい。
【００４６】
図５は、上述の多重モジュール皮膚または身体治療システムを使用する方法を説明する、フローチャート５００である。認定施術者または臨床医は、患者によって選択される治療の種類に対応する必要モジュールを選択する（ステップ５０２）。次いで、施術者は、モジュールを多重モジュール皮膚または身体治療デバイスに接続する（ステップ５０４）。棒状具またはモジュールに付随するアプリケータは、多重モジュール皮膚または身体治療デバイスに既に搭載されていてもよい（ステップ５０６）。そうではない場合、施術者は、選択された治療に対応する必要な棒状具またはアプリケータを搭載する（ステップ５０８）。次いで、施術者は、各患者および各治療のための患者特定パラメータを多重モジュール皮膚治療デバイスに入力する（ステップ５１０）。施術者は、選択された治療を実行し（ステップ５１２）、出力デバイス上への表示によって治療結果を評価する（ステップ５１４）。
【００４７】
本発明の数多くの修正例および代替実施形態は、上述の説明に照らして、当業者に明白となるであろう。故に、本説明は、例示としてのみ解釈されるべきであって、本発明を実行するための最良の形態を当業者に教示する目的のためのものである。構造の詳細は、本発明の精神から逸脱することなく、実質的に変更されてもよく、添付の請求項の範囲内にあるあらゆる修正例の排他的使用が確保される。
【図１】
2010535595.tif 000003
【図２】
2010535595.tif 000004
【図３】
2010535595.tif 000005
【図４Ａ】
2010535595.tif 000006
【図４Ｂ】
2010535595.tif 000007
【図４Ｃ】
2010535595.tif 000008
【図４Ｄ】
2010535595.tif 000009
【図４Ｅ】
2010535595.tif 000010
【図５】
2010535595.tif 000011
【手続補正書】
【提出日】平成22年4月21日(2010.4.21)
【手続補正１】
【補正対象書類名】明細書
【補正対象項目名】０００６
【補正方法】変更
【補正の内容】
【０００６】
ある皮膚または身体治療デバイスを選択し、中央位置から１つ以上のデバイスを管理する柔軟性をユーザまたは施術者に提供する、多重モジュール皮膚または身体治療デバイスの必要性が存在する。複数の治療の種類を提供するそのような単一の皮膚または身体治療デバイスは、複数の皮膚または身体治療デバイスを有する必要性を排除し、複数の治療を１人以上の患者に適用する効果的な態様をもたらす。さらに、そのようなデバイスは、１つ以上の種類の治療の組み合わせを可能にし、ある場合には、予想外に相乗効果をもたらし、全体的な治療効果を向上させる。本発明は、この必要性を解決するためのさらなる解決策を対象とすることに加えて、他の所望の特徴を有する。
本発明は、例えば以下の項目を提供する。
（項目１）
皮膚または身体治療デバイスであって、
該皮膚または身体治療デバイスと結合される１つ以上の取外し可能かつ交換可能モジュールであって、各モジュールは、皮膚若しくは身体治療、下層組織治療、または両方を提供するように構成される、モジュールと、
該皮膚または身体治療デバイスと結合される１つ以上のアプリケータであって、各アプリケータは、該１つ以上の取外し可能モジュールの使用を可能にして、該皮膚若しくは身体治療、下層組織治療、または両方を達成する、アプリケータと
を備える、デバイス。
（項目２）
前記１つ以上の取外し可能かつ交換可能モジュールは、レーザモジュール、発光ダイオードモジュール、超音波モジュール、音響衝撃モジュール、マッサージモジュール、強パルス光モジュール、微小皮膚研摩モジュール、電気刺激モジュール、無線周波数モジュール、またはそれらの任意の組み合わせを備える、項目１に記載の皮膚または身体治療デバイス。
（項目３）
前記皮膚または身体治療デバイスは、複数の前記１つ以上の取外し可能かつ交換可能モジュールの同時使用のために構成される、項目１に記載の皮膚または身体治療デバイス。
（項目４）
前記皮膚または身体治療デバイスは、複数の前記１つ以上のアプリケータによる、前記１つ以上の取外し可能かつ交換可能モジュールのうちの１つの同時使用のために構成される、項目１に記載の皮膚または身体治療デバイス。
（項目５）
前記皮膚または身体治療デバイスに接続される入力デバイスをさらに備え、施術者は、該入力デバイスを使用して治療特定パラメータを入力する、項目１に記載の皮膚または身体治療デバイス。
（項目６）
前記皮膚または身体治療デバイスに接続される１つ以上の出力デバイスをさらに備え、該１つ以上の出力デバイスは、１つ以上の治療の結果を表示する、項目１に記載の皮膚または身体治療デバイス。
（項目７）
前記１つ以上のアプリケータは、取外し可能かつ交換可能である、項目１に記載の皮膚または身体治療デバイス。
（項目８）
データ格納デバイスをさらに備える、項目１に記載の皮膚または身体治療デバイス。
（項目９）
治療モジュール貯蔵所をさらに備える、項目１に記載の皮膚または身体治療デバイス。
（項目１０）
前記１つ以上の取外し可能かつ交換可能モジュールを制御するためのプロセッサをさらに備える、項目１に記載の皮膚または身体治療デバイス。
（項目１１）
データ格納を管理および実装するためのプロセッサをさらに備える、項目１に記載の皮膚または身体治療デバイス。
（項目１２）
入力を受信し、診断を出力するために、前記デバイス上で動作する診断用ソフトウェアアプリケーションをさらに備える、項目１に記載の皮膚または身体治療デバイス。
（項目１３）
ユーザからの入力を受信し、診断および治療計画を出力するように構成される、診断用ソフトウェアアプリケーションをさらに備える、項目１に記載の皮膚または身体治療デバイス。
（項目１４）
多重モジュール皮膚または身体治療システムを使用する方法であって、
所望の皮膚若しくは身体治療、下層組織治療、または両方に対応する１つ以上のモジュールを選択することと、
使用のために、該１つ以上のモジュールを構成することと、
使用のために、該１つ以上の必要とされるモジュールに対応する１つ以上のアプリケータを構成することと、
該１つ以上のモジュールを起動および動作させて、皮膚若しくは身体治療、下層組織治療、または両方を達成することと
を備える、方法。
（項目１５）
前記多重モジュール皮膚または身体治療デバイスに患者特定パラメータを提供することをさらに備える、項目１４に記載の方法。
（項目１６）
前記多重モジュール皮膚または身体治療デバイスは、前記患者特定パラメータに基づいて所望の治療方針を決定し、そして、該治療方針を通信することをさらに備える、項目１５に記載の方法。
（項目１７）
前記１つ以上のモジュールは、レーザモジュール、発光ダイオードモジュール、超音波モジュール、音響衝撃モジュール、マッサージモジュール、強パルス光モジュール、微小皮膚研摩モジュール、電気刺激モジュール、無線周波数モジュール、またはそれらの任意の組み合わせを備える、項目１４に記載の方法。
（項目１８）
前記皮膚若しくは身体治療、下層組織治療、または両方の結果を表示することをさらに備える、項目１４に記載の方法。
（項目１９）
動作の間、前記１つ以上のモジュールを制御するプロセッサをさらに備える、項目１４に記載の方法。
（項目２０）
前記多重モジュール皮膚または身体治療システムの動作および特定患者に関するデータを保存することをさらに備える、項目１４に記載の方法。
（項目２１）
患者症状情報を前記皮膚または身体治療システムに入力し、該システムは、診断情報を出力することをさらに備える、項目１４に記載の方法。
（項目２２）
皮膚または身体治療デバイスであって、
該皮膚または身体治療デバイスと結合される１つ以上の取外し可能かつ交換可能モジュールであって、各モジュールは、皮膚若しくは身体または下層組織治療を提供するように構成される、モジュールと、
該皮膚または身体治療デバイスと結合される１つ以上のアプリケータであって、各アプリケータは、該１つ以上の取外し可能モジュールの使用を可能にして、該皮膚若しくは身体または下層組織治療を達成する、アプリケータと
を備え、
該１つ以上の取外し可能かつ交換可能モジュールは、レーザモジュール、発光ダイオードモジュール、超音波モジュール、マッサージモジュール、強パルス光モジュール、微小皮膚研摩モジュール、電気刺激モジュール、無線周波数モジュール、またはそれらの任意の組み合わせを備える、デバイス。
（項目２３）
前記１つ以上の取外し可能かつ交換可能モジュールおよび前記１つ以上のアプリケータは、実行されるべき所望の皮膚または身体治療に基づいて選択可能である、項目２２に記載の皮膚または身体治療デバイス。
【手続補正２】
【補正対象書類名】特許請求の範囲
【補正対象項目名】全文
【補正方法】変更
【補正の内容】
【特許請求の範囲】
【請求項１】
皮膚または身体治療デバイスであって、
該皮膚または身体治療デバイスと結合される１つ以上の取外し可能かつ交換可能モジュールであって、各モジュールは、皮膚若しくは身体治療、下層組織治療、または両方を提供するように構成される、モジュールと、
該皮膚または身体治療デバイスと結合される１つ以上のアプリケータであって、各アプリケータは、該１つ以上の取外し可能モジュールの使用を可能にして、該皮膚若しくは身体治療、下層組織治療、または両方を達成する、アプリケータと
を備える、デバイス。
【請求項２】
前記１つ以上の取外し可能かつ交換可能モジュールは、レーザモジュール、発光ダイオードモジュール、超音波モジュール、音響衝撃モジュール、マッサージモジュール、強パルス光モジュール、微小皮膚研摩モジュール、電気刺激モジュール、無線周波数モジュール、またはそれらの任意の組み合わせを備える、請求項１に記載の皮膚または身体治療デバイス。
【請求項３】
前記皮膚または身体治療デバイスは、複数の前記１つ以上の取外し可能かつ交換可能モジュールの同時使用のために構成される、請求項１に記載の皮膚または身体治療デバイス。
【請求項４】
前記皮膚または身体治療デバイスは、複数の前記１つ以上のアプリケータによる、前記１つ以上の取外し可能かつ交換可能モジュールのうちの１つの同時使用のために構成される、請求項１に記載の皮膚または身体治療デバイス。
【請求項５】
前記皮膚または身体治療デバイスに接続される入力デバイスをさらに備え、該デバイスは、治療特定パラメータを受信するように構成される、請求項１に記載の皮膚または身体治療デバイス。
【請求項６】
前記皮膚または身体治療デバイスに接続される１つ以上の出力デバイスをさらに備え、該１つ以上の出力デバイスは、１つ以上の治療の結果を表示する、請求項１に記載の皮膚または身体治療デバイス。
【請求項７】
前記１つ以上のアプリケータは、取外し可能かつ交換可能である、請求項１に記載の皮膚または身体治療デバイス。
【請求項８】
データ格納デバイスをさらに備える、請求項１に記載の皮膚または身体治療デバイス。
【請求項９】
治療モジュール貯蔵所をさらに備える、請求項１に記載の皮膚または身体治療デバイス。
【請求項１０】
前記１つ以上の取外し可能かつ交換可能モジュールを制御するためのプロセッサをさらに備える、請求項１に記載の皮膚または身体治療デバイス。
【請求項１１】
データ格納を管理および実装するためのプロセッサをさらに備える、請求項１に記載の皮膚または身体治療デバイス。
【請求項１２】
入力を受信し、診断を出力するために、前記デバイス上で動作する診断用ソフトウェアアプリケーションをさらに備える、請求項１に記載の皮膚または身体治療デバイス。
【請求項１３】
ユーザからの入力を受信し、診断および治療計画を出力するように構成される、診断用ソフトウェアアプリケーションをさらに備える、請求項１に記載の皮膚または身体治療デバイス。
【請求項１４】
多重モジュール皮膚または身体治療システムであって、
所望の皮膚若しくは身体治療、下層組織治療、または両方に対応する１つ以上のモジュールと、
使用のために、該１つ以上のモジュールを構成するための手段と、
使用のために、該１つ以上の必要とされるモジュールに対応する１つ以上のアプリケータと、
を備える、システム。
【請求項１５】
前記多重モジュール皮膚または身体治療デバイスに患者特定パラメータを提供するための手段をさらに備える、請求項１４に記載のシステム。
【請求項１６】
前記患者特定パラメータに基づいて所望の治療方針を決定するための手段、および、該治療方針を通信するための手段をさらに備える、請求項１５に記載のシステム。
【請求項１７】
前記１つ以上のモジュールは、レーザモジュール、発光ダイオードモジュール、超音波モジュール、音響衝撃モジュール、マッサージモジュール、強パルス光モジュール、微小皮膚研摩モジュール、電気刺激モジュール、無線周波数モジュール、またはそれらの任意の組み合わせを備える、請求項１４に記載のシステム。
【請求項１８】
前記皮膚若しくは身体治療、下層組織治療、または両方の結果を表示するための手段をさらに備える、請求項１４に記載のシステム。
【請求項１９】
動作の間、前記１つ以上のモジュールを制御するためのプロセッサをさらに備える、請求項１４に記載のシステム。
【請求項２０】
前記多重モジュール皮膚または身体治療システムの動作および特定患者に関するデータを保存するための手段をさらに備える、請求項１４に記載のシステム。
【請求項２１】
患者症状情報を前記皮膚または身体治療システムに入力するための手段、および、診断情報を出力するための手段をさらに備える、請求項１４に記載のシステム。
【請求項２２】
皮膚または身体治療デバイスであって、
該皮膚または身体治療デバイスと結合される１つ以上の取外し可能かつ交換可能モジュールであって、各モジュールは、皮膚若しくは身体または下層組織治療を提供するように構成される、モジュールと、
該皮膚または身体治療デバイスと結合される１つ以上のアプリケータであって、各アプリケータは、該１つ以上の取外し可能モジュールの使用を可能にして、該皮膚若しくは身体または下層組織治療を達成する、アプリケータと
を備え、
該１つ以上の取外し可能かつ交換可能モジュールは、レーザモジュール、発光ダイオードモジュール、超音波モジュール、マッサージモジュール、強パルス光モジュール、微小皮膚研摩モジュール、電気刺激モジュール、無線周波数モジュール、またはそれらの任意の組み合わせを備える、デバイス。
【請求項２３】
前記１つ以上の取外し可能かつ交換可能モジュールおよび前記１つ以上のアプリケータは、実行されるべき所望の皮膚または身体治療に基づいて選択可能である、請求項２２に記載の皮膚または身体治療デバイス。
【国際調査報告】
2010535595.tif 000012
2010535595.tif 000013